(57)【要約】【課題】ＡＴＭ−ＰＯＮ帯域を圧迫することなくブロードキャストまたはマルチキャストを実現できるデータフレーム転送システムの提供。【解決手段】局側装置１０が、フレーム識別子とＶＰＩ値との対応関係を記憶したテーブル１２と、上位装置４０からの受信フレームからフレーム識別子を抽出し、上記テーブルからフレーム識別子と対応するＶＰＩ値を検索するＶＰＩ検索部１３とを有し、受信フレームを上記検索ＶＰＩ値をもつＡＴＭセル群に変換してＡＴＭ−ＰＯＮフレーム形式で受動光網に送出し、各加入者接続装置が、受信処理すべきＡＴＭセルのＶＰＩ値を記憶した検索テーブル２３と、受動光網からＡＴＭ−ＰＯＮフレーム形式で受信した各ＡＴＭセルについて、ＶＰＩ値が上記検索テーブルに登録済みか否かを判定し、登録済みＶＰＩ値をもつＡＴＭセルを選択的に透過するフィルタ部２４とを有し、フィルタ部を透過したＡＴＭセルからデータフレームを再生して、加入者端末に送信する。【選択図】  図１
2004153506.tif 000002
【特許請求の範囲】
【請求項１】
上位装置に接続された局側装置と、それぞれが加入者端末に接続された複数の加入者接続装置との間を受動光網（ＰＯＮ：Ｐａｓｓｉｖｅ  Ｏｐｔｉｃａｌ  Ｎｅｔｗｏｒｋ）で接続し、上記受動光網上ではＡＴＭ（Ａｓｙｎｃｈｒｏｎｏｕｓ  Ｔｒａｎｓｆｅｒ  Ｍｏｄｅ）−ＰＯＮフレーム形式でデータを転送するデータフレーム転送システムであって、
上記局側装置が、フレーム識別子とＶＰＩ値との対応関係を記憶した第１テーブルと、上位装置から受信した加入者端末宛の下りデータフレームからフレーム識別子を抽出し、上記第１テーブルから該フレーム識別子と対応するＶＰＩ値を検索するＶＰＩ検索手段と、フレーム種別に関係なく、上記受信データフレームを上記ＶＰＩ検索手段で検索されたＶＰＩ値をもつＡＴＭセル群に変換する変換手段と、上記ＡＴＭセル群をＡＴＭ−ＰＯＮフレーム形式で上記受動光網に送出するための手段とを有し、
上記各加入者接続装置が、受信処理すべきＡＴＭセルのＶＰＩ値を記憶した第２テーブルと、上記受動光網からＡＴＭ−ＰＯＮフレーム形式で受信した各ＡＴＭセルについて、ＶＰＩ値が上記第２テーブルに登録済みのものか否かを判定し、上記第２テーブルに登録済みのＶＰＩ値をもつＡＴＭセルを選択的に透過するフィルタ手段と、上記フィルタ手段を透過した複数のＡＴＭセルから元のデータフレームを再生するフレーム組立て手段と、上記再生されたデータフレームを接続加入者端末に送信するための手段とを有することを特徴とするデータフレーム転送システム。
【請求項２】
前記加入者接続装置のうちの少なくとも２つが、前記第２テーブルに少なくとも１つの互いに共通のＶＰＩ値を記憶しており、前記受動光網からＡＴＭ−ＰＯＮフレーム形式で受信した上記共通ＶＰＩ値をもつ同一のＡＴＭセル群を受信処理することを特徴とする請求項１に記載のデータフレーム転送システム。
【請求項３】
前記局側装置に接続して、前記第１テーブルおよび第２テーブルのテーブルエントリを管理するためのオペレーション装置を有し、
上記オペレーション装置によって、前記第１テーブルに登録されたブロードキャスト用またはマルチキャスト用データフレームのフレーム識別子と対応するＶＰＩ値をブロードキャスト先またはマルチキャスト先となる複数の加入者接続装置の第２テーブルに重複して登録しておき、
上記局側装置が、前記上位装置から受信した下りデータフレームの種類に関係なく、受信データフレームを前記ＶＰＩ検索手段によって検索されたＶＰＩ値をもつＡＴＭセル群に変換して前記受動光網に送出し、
ブロードキャスト用またはマルチキャスト用データフレームから変換されたＡＴＭセル群が、前記第２テーブルに該当ＶＰＩ値をもつ複数の加入者接続装置によって受信処理されるようにしたことを特徴とする請求項１に記載のデータフレーム転送システム。
【発明の詳細な説明】
【０００１】
【発明の属する技術分野】
本発明は、ＡＴＭ（Ａｓｙｎｃｈｒｏｎｏｕｓ  Ｔｒａｎｓｆｅｒ  Ｍｏｄｅ）−ＰＯＮを利用したデータフレーム転送システムに関し、特に１つのデータフレームを複数の加入者接続装置にブロードキャストまたはマルチキャストするのに適したデータフレーム転送システムに関する。
【０００２】
【従来の技術】
近年、インターネットユーザの増加に伴って、広帯域ＩＰサービスの需要が増加している。将来の動画等のコンテンツ配信や大容量ダウンロードへの需要を考慮すると、アクセス区間への光ファイバの導入が必要となる。アクセス区間のデータ転送方式としては、例えば、回線敷設コストの低減と局側装置の省スペース化を実現できるＩＴＵ−Ｔ勧告Ｇ．９８３．１“Ｂｒｏａｄｂａｎｄ  Ｏｐｔｉｃａｌ  Ａｃｃｅｓｓ  Ｓｙｓｔｅｍｓ  ｂａｓｅｄ  ｏｎ  Ｐａｓｓｉｖｅ  Ｏｐｔｉｃａｌ  Ｎｅｔｗｏｒｋｓ  （ＰＯＮ）”（非特許文献１）によるＡＴＭ−ＰＯＮ（１５０Ｍｂｉｔ／秒の双方向アクセス技術）が挙げられる。
【０００３】
受動光網ＰＯＮは、局側装置と複数の加入者接続装置を光信号の分岐機能を持った光ファイバ網で接続し、各加入者接続装置が、局側装置から配送された時分割アクセス権情報に従って、局側装置へのデータ転送を制御するネットワークシステムである。
上記勧告で規定されたＰＯＮフレームは、ＡＴＭセルをベースとしており（ＡＴＭ−ＰＯＮ）、上りＰＯＮフレーム（加入者接続装置から局側装置方向のフレーム）は、５６バイトの固定長データ形式でユーザセルを転送し、下りＰＯＮフレーム（局側装置から加入者接続装置方向のフレーム）は、５３バイトの固定長データ形式でユーザセルと制御セルを転送している。
【０００４】
ＡＴＭ−ＰＯＮでは、各局側装置と該装置に接続された１つまたは複数の加入者接続装置との間の光網上に、１つまたは複数の仮想パス（ＶＰ）および仮想チャネル（ＶＣ）を設定しておき、各局側装置が、例えば、イーサネット（登録商標名）で接続された上位装置から下りデータフレームを受信した時、受信フレームに付されたフレーム識別子の値からＰＯＮ上での該当ＶＰＩ／ＶＣＩの値を識別し、受信フレームを上記ＶＰＩ／ＶＣＩ値をもつＡＴＭセルに変換して、ＰＯＮ側に転送する。各加入者接続装置は、局側装置から転送されてきたＡＴＭセルのＶＰＩ値を判定し、予め指定されたＶＰＩ値をもつ特定のＡＴＭセルのみを選択的に受信処理する。
【０００５】
上位装置からの受信フレームが、全ての加入者接続装置に転送すべきブロードキャストフレーム、または１つのグループに属した複数の加入者接続装置に転送すべきマルチキャストフレームの場合、局側装置には特殊な機能が必要となる。
【０００６】
ブロードキャストフレームまたはマルチキャストフレームの転送に関する従来技術として、例えば、特開平８−１８６５６５号公報（特許文献１）には、情報処理装置からの受信フレーム（受信パケット）がブロードキャストまたはマルチキャストすべきものであった場合、受信パケットの宛先情報と対応して予めマルチキャストまたはブロードキャストすべき複数の宛先情報が登録されたアドレス管理テーブルを参照し、該テーブルから１対多配信の送信先となる複数の宛先情報を読み出し、受信パケットをこれら１対多配信宛先別の複数のＡＴＭセル群に変換してＡＴＭ網に送出するパケットの転送方法が開示されている。
【０００７】
また、特開２０００−２２８６６８号公報（特許文献２）には、ＡＴＭ−ＰＯＮにおけるマルチキャストまたはブロードキャストセルの転送技術が開示されている。特許文献２では、ＡＴＭスイッチから局側装置ＯＳＵ（Ｏｐｔｉｃａｌ  Ｓｕｂｓｃｒｉｂｅｒ  Ｕｎｉｔ）に入力する各ＡＴＭセルに論理コネクションの用途（ユニキャスト、ブロードキャスト、マルチキャストの区別）を示すＥＬＡＮ情報を付加しておき、局側装置でＰＯＮフレームを構成するとき、受信セルがブロードキャストセルの場合は、ＰＯＮ側への送信セルに全加入者接続装置ＯＮＵ（Ｏｐｔｉｃａｌ  Ｎｅｔｗｏｒｋ  Ｕｎｉｔ）で受信すべきブロードキャスト用セルであることを示すＯＮＵ−ＩＤを付加し、受信セルがマルチキャストセルの場合は、テーブルからマルチキャストすべき宛先ＯＮＵを検索し、受信セルの複製によって生成した宛先対応の各送信セルに上記テーブルから検索した宛先ＯＮＵを示すＯＮＵ−ＩＤを付加し、受信セルがユニキャストセルの場合は、該セルに宛先ＯＮＵを示すＯＮＵ−ＩＤを付加するようにしている。
【０００８】
【非特許文献１】
ＩＴＵ−Ｔ勧告Ｇ．９８３．１“Ｂｒｏａｄｂａｎｄ  Ｏｐｔｉｃａｌ  Ａｃｃｅｓｓ  Ｓｙｓｔｅｍｓ  ｂａｓｅｄ  ｏｎ  Ｐａｓｓｉｖｅ  Ｏｐｔｉｃａｌ  Ｎｅｔｗｏｒｋｓ  （ＰＯＮ）”
【特許文献】
特開平８−１８６５６５号公報
【特許文献】
特開２０００−２２８６６８号公報
【０００９】
【発明が解決しようとする課題】
然るに、特許文献１が示すパケット転送技術では、ブロードキャストまたはマルチキャストすべきフレームを受信した時、受信フレームから配信先別の複数のＡＴＭセル群を生成しているため、送信セル数が増幅され、ＡＴＭ−ＰＯＮ上での帯域を圧迫してしまうという問題がある。
【００１０】
また、特許文献２が示すパケット転送技術でも、マルチキャストすべきＡＴＭセルが宛先数と対応した複数の送信セルに増幅されるため、特許文献１と同様の問題がある。特許文献２では、ＰＯＮフレーム上の各ＡＴＭセルに、セルヘッダとは別にＯＮＵ−ＩＤを付加することが前提となっているため、ＩＴＵ−Ｔ勧告Ｇ．９８３．１で規定されたＡＴＭ−ＰＯＮ（１５０Ｍｂｉｔ／秒の双方向アクセス技術）のセルフォーマットから外れており、既存の加入者接続装置や他社装置との互換性を欠くという問題がある。
【００１１】
本発明の目的は、ＩＴＵ−Ｔ勧告Ｇ．９８３．１によるＡＴＭ−ＰＯＮ（１５０Ｍｂｉｔ／秒の双方向アクセス技術）に準拠し、ＡＴＭ−ＰＯＮ帯域を圧迫することなくブロードキャストまたはマルチキャスト用のフレーム転送を実現できるデータフレーム転送システムを提供することにある。
【００１２】
【課題を解決するための手段】
上記目的を達成するため、本発明によるＡＴＭ−ＰＯＮを利用したデータフレーム転送システムは、局側装置が、フレーム識別子とＶＰＩ値との対応関係を記憶した第１テーブルと、上位装置から受信した加入者端末宛の下りデータフレームからフレーム識別子を抽出し、上記第１テーブルから該フレーム識別子と対応するＶＰＩ値を検索するＶＰＩ検索手段と、フレーム種別に関係なく、上記受信データフレームを上記ＶＰＩ検索手段で検索されたＶＰＩ値をもつ一連のＡＴＭセル群に変換する変換手段と、上記ＡＴＭセル群をＡＴＭ−ＰＯＮフレーム形式で上記受動光網に送出するための手段とを有し、
各加入者接続装置が、受信処理すべきＡＴＭセルのＶＰＩ値を記憶した第２テーブルと、上記受動光網からＡＴＭ−ＰＯＮフレーム形式で受信した各ＡＴＭセルについて、ＶＰＩ値が上記第２テーブルに登録済みのものか否かを判定し、上記第２テーブルに登録済みのＶＰＩ値をもつＡＴＭセルを選択的に透過するフィルタ手段と、上記フィルタ手段を透過した複数のＡＴＭセルから元のデータフレームを再生するフレーム組立て手段と、上記再生されたデータフレームを接続加入者端末に送信するための手段とを有することを特徴とする。
【００１３】
本発明によれば、上記第１テーブルに登録されたブロードキャスト用またはマルチキャスト用データフレームのフレーム識別子と対応するＶＰＩ値をブロードキャスト先またはマルチキャスト先となる複数の加入者接続装置の第２テーブルに重複して登録し、上記局側装置に、上位装置から受信した下りデータフレームの種類に関係なく、受信データフレームを前記ＶＰＩ検索手段によって検索されたＶＰＩ値をもつＡＴＭセル群に変換して前記受動光網に送出させることによって、ブロードキャスト用またはマルチキャスト用データフレームから変換されたＡＴＭセル群を上記第２テーブルに該当ＶＰＩ値をもつ複数の加入者接続装置に受信処理させることが可能となる。
【００１４】
【発明の実施の形態】
以下、本発明の実施形態について図面を参照して説明する。
図１は、ＡＴＭ−ＰＯＮを利用した本発明によるデータ転送システムの全体的なシステム構成の１例を示す。
図１において、１０は局側装置、２０（２０−１〜２０−ｎ）は、光網を介して上記局側装置１０に接続された加入者接続装置、３０（３０−１〜３０−ｎ）は、例えば、イーサネット等の回線１３０（１３０−１〜１３０−ｎ）を介して各加入者接続装置２０に接続された加入者端末、４０は、例えば、イーサネット等の回線１２０を介して上記局側装置１０に接続された上位装置、５０は、回線１５０を介して上記局側装置１０に接続されたオペレーション装置である。上位装置４０は、例えば、ルータ等の装置であり、図示しない他の複数の通信装置またはデータ処理装置を収容している。
【００１５】
光網は、光ファイバ１００、１０１〜１０ｎと光スプリッタ１１０とからなり、ＩＴＵ−Ｔ勧告Ｇ．９８３．１によるＡＴＭ−ＰＯＮ（１５０Ｍｂｉｔ／秒の双方向アクセス技術）を構成している。光スプリッタ１１０は、局側装置１０から光ファイバ１００に送出された光信号を各加入者接続装置２０−１〜２０−ｎに接続された光ファイバ１０１〜１０ｎに分配すると共に、光ファイバ１０１〜１０ｎからの光信号を光ファイバ１００に多重化する機能を持つ。
【００１６】
局側装置１０は、後述するように、上位装置４０から受信する下りデータフレームのフレーム識別子とＰＯＮ上で有効となるＶＰＩ値との対応関係を記憶した変換テーブル（以下、ＶＰＩ振り分けテーブルと言う）１２を備えており、上位装置４０から下りデータフレームを受信すると、受信フレームに付されたフレーム識別子に基づいて上記ＶＰＩ振り分けテーブル１２を参照し、フレーム識別子に対応するＶＰＩ値を取得する。局側装置１０は、上記下りデータフレームを複数のデータブロックに分割し、各データブロックに上記ＶＰＩ振り分けテーブル１２から求めたＶＰＩ値を含むセルヘッダを付加することによって、出力ＡＴＭセルに変換し、ＰＯＮフレームに編成して光ファイバ１００に送信する。
【００１７】
上記ＶＰＩ振り分けテーブル１２への変換情報エントリの設定は、オペレーション装置５０によって行われる。オペレーション装置５０は、上記変換情報エントリの設定機能の他に、局側装置１０を介して、後述する各加入者接続装置２０が備えるＶＰＩ検索テーブル２３に受信（透過）処理すべきＡＴＭセルのＶＰＩ値を設定する機能を持っている。
【００１８】
各加入者接続装置２０は、局側装置１０からＰＯＮフレームを受信すると、受信フレームからユーザ用のＡＴＭセルを抽出し、各ＡＴＭセルのＶＰＩ値が上記ＶＰＩ検索テーブル２３に登録されたものか否かを判定する。受信ＡＴＭセルのＶＰＩ値がＶＰＩ検索テーブル２３に未登録のものであれば、受信ＡＴＭセルは廃棄処理され、ＶＰＩ検索テーブル２３に登録済みのＶＰＩ値をもつＡＴＭセルのみが透過対象となって、元のデータフレームに変換され、回線１３０−ｉを介して加入者端末３０−ｉに転送される。
【００１９】
図２は、本発明において局側装置１０の主要部となる下り方向の信号処理系の機能ブロック図を示す。
図において、１１は、上位装置４０との接続回線１２０に接続されたネットワークインタフェース部、１２は、前述したＶＰＩ振り分けテーブルであり、図３に示すように、下りデータフレームのフレーム識別子１２１とＶＰＩ値１２２との対応関係を示す複数のエントリを記憶している。
【００２０】
１３は、ネットワークインタフェース部１１で受信した下りデータフレームからフレーム識別子を抽出し、上記ＶＰＩ振り分けテーブル１２から受信フレームの識別子と対応するＶＰＩ値を検索するＶＰＩ検索部である。また、１４は、ネットワークインタフェース部１１で受信した下りデータフレームを固定長の複数のデータブロックに分割し、各データブロックに上記検索部１３で検索したＶＰＩ値を設定したセルヘッダを付加し、出力ＡＴＭセルに変換するＡＴＭセル生成部、１５は、ＰＯＮを介して接続された加入者接続装置２０（２０−１〜２０−ｎ）に対して、ＡＴＭセル生成部で生成したＡＴＭセルを下りＰＯＮフレーム形式で送出するＰＯＮ終端部である。ＰＯＮ終端部１５で生成したＰＯＮフレームは、Ｅ／Ｏ変換部１６で光信号に変換され、光ファイバ１００に送出される。
【００２１】
１８は、回線１５０を介してオペレーション装置５０と接続された制御部である。制御部１８は、オペレーション装置５０から受信した制御メッセージに応答して、上記ＶＰＩ振り分けテーブル１２への新たなエントリの登録と既登録エントリの削除を行う。また、オペレーション装置５０から加入者接続装置を指定してＶＰＩ検索テーブルへの新たなエントリの登録要求、または既登録エントリの削除要求メッセージを受信すると、これを制御セルに変換し、ＰＯＮ終端部１５に出力する。
【００２２】
図４は、加入者接続装置２０−１の下り方向の信号処理系の機能ブロック図を示す。他の加入者接続装置２０−２〜２０−ｎも同様の構成となっている。
２１は、光ファイバ１０１から受信した光信号を電気信号に変換するためのＯ／Ｅ変換部、２２は、Ｏ／Ｅ変換部２１に接続されたＰＯＮ終端部であり、下りＰＯＮフレームから抽出したＡＴＭセルと制御セルをそれぞれＶＰＩフィルタ部２４と制御部２８に振り分ける。
【００２３】
制御部２８は、ＰＯＮ終端部２２から制御セルを受信すると、受信セルのＶＰＩ／ＶＣＩが自装置宛のものか否かを判定する。受信した制御セルが自装置宛で、ＶＰＩ検索テーブルへの新たなエントリの登録用のものであれば、受信セルで指定されたＶＰＩ値をＶＰＩ検索テーブル２３−１に登録する。受信した制御セルが既登録エントリの削除用の場合は、受信セルで指定されたＶＰＩ値をＶＰＩ検索テーブル２３−１から削除する。
【００２４】
ＶＰＩフィルタ部２４は、ＰＯＮ終端部２２から受信した各ＡＴＭセルのＶＰＩ値がＶＰＩ検索テーブル２３−１に登録済みのものか否かを判定し、登録済みＶＰＩ値をもつＡＴＭセルのみを選択的にフレーム組立て部２５に透過する。フレーム組立て部２５は、ＶＰＩフィルタ部３０４を透過したＡＴＭセルを元の下りデータフレームに組立て、端末インタフェース部２６に出力する。端末インタフェース部２６は、上記フレーム組立て部２５から受信した下りデータフレームを加入者端末接続回線１３０−１上のプロトコルに適合したフレーム形式に変換して、回線１３０−１に送信する。
【００２５】
加入者接続装置２０−１のＶＰＩ検索テーブル２３−１は、例えば、図５の（Ａ）に示すように、回線１３０−１を介して接続された加入者端末３０−１に転送すべきデータを含むＡＴＭセルのＶＰＩ値２３１−１、２３１−２、…を記憶している。
【００２６】
図５の（Ｂ）は、加入者接続装置２０−２が備えるＶＰＩ検索テーブル２３−２の内容を示す。
本実施例では、ＶＰＩ検索テーブル２３−１のエントリ２３１−２と、ＶＰＩ検索テーブル２３−２のエントリ２３２−２に、同一のＶＰＩ値「ＶＰＩ＃２」が設定されている。これは、局側装置１０から送出されたＶＰＩ値「ＶＰＩ＃２」をもつＡＴＭセル群が、２つの加入者接続装置２０−１と２０−２で同時に受信（透過）処理され、それぞれのフレーム組立て部２５に入力されることを意味している。本発明は、このように、複数の加入者接続装置に互いに重複したＶＰＩ値を設定することによって、ＰＯＮに接続された任意の加入者接続装置群を仮想グループ化することに特徴がある。
【００２７】
上記実施例から判るように、本発明によれば、局側装置１０が備えるＶＰＩ振り分けテーブル１２の登録ＶＰＩ値と、各加入者接続装置２０が備えるＶＰＩ検索テーブル２３の登録ＶＰＩ値との関係よって、ＰＯＮ上に任意のＶＰコネクションを設定できる。
【００２８】
上位装置４０が送出した特定のフレーム識別子をもつ下りデータフレームを１つの論理グループを形成する複数の加入者接続装置にマルチキャストフレームとして受信させたい場合は、上記フレーム識別子と対応してＶＰＩ振り分けテーブル１２に登録された特定のＶＰＩ値「ＶＰＩ＃ｘ」を上記論理グループに属した全ての加入者接続装置のＶＰＩ検索テーブル２３に登録しておけばよい。上記特定ＶＰＩ値をＰＯＮに接続された全ての加入者接続装置のＶＰＩ検索テーブル２３に登録しておけば、上記特定ＶＰＩ値に対応付けられた下りデータフレームを全ての加入者接続装置にブロードキャストフレームとして受信させることができる。
【００２９】
図６は、局側装置１０と加入者接続装置２０−１〜２０−ｎの間に設定されるＶＰコネクションの１例を示す。
ここでは、下りデータフレームのフレーム識別子とＶＰＩ値との対応関係を示す局側装置１０のＶＰＩ振り分けテーブル１２の登録エントリが、（ＩＤ＃０，ＶＰＩ＃０）、（ＩＤ＃１，ＶＰＩ＃１）、（ＩＤ＃２，ＶＰＩ＃２）、（ＩＤ＃ｎ，ＶＰＩ＃ｎ）を示し、加入者接続装置２０−１のＶＰＩ検索テーブル２３−１にＶＰＩ値「ＶＰＩ＃０」と「ＶＰＩ＃２」が登録され、加入者接続装置２０−２のＶＰＩ検索テーブル２３−２にＶＰＩ値「ＶＰＩ＃１」と「ＶＰＩ＃２」が登録され、加入者接続装置２０−ｎのＶＰＩ検索テーブル２３−ｎにＶＰＩ値「ＶＰＩ＃ｎ」が登録された場合を示している。
【００３０】
この例では、上位装置４０から送信されたフレーム識別子「ＩＤ＃０」をもつデータフレームは、局側装置１０でＶＰＩ値「ＶＰＩ＃０」をもつＡＴＭセル群に変換され、ＰＯＮに送出される。これらのＡＴＭセル群は、ＶＰＩ検索テーブル２３−１にＶＰＩ値「ＶＰＩ＃０」をもつ加入者接続装置２０−１によって受信処理され、元のデータフレームに変換した後、加入者端末３０−１に転送される。２０−１以外の他の加入者接続装置２０−２〜２０−ｎでは、ＶＰＩ値「ＶＰＩ＃０」がＶＰＩ検索テーブル２３−１に未登録となっているため、上記ＡＴＭセル群は、フレーム組立て部２５におけるフレーム組立ての対象外の受信セルとなって廃棄処理される。
【００３１】
これと同様に、上位装置４０から送信されたフレーム識別子「ＩＤ＃ｎ」をもつデータフレームは、局側装置１０でＶＰＩ値「ＶＰＩ＃ｎ」をもつＡＴＭセル群に変換され、ＰＯＮに送出される。これらのＡＴＭセル群は、ＶＰＩ検索テーブル２３−ｎにＶＰＩ値「ＶＰＩ＃ｎ」をもつ加入者接続装置２０−ｎによって受信処理され、元のデータフレームに変換した後、加入者端末３０−ｎに転送される。
【００３２】
また、上位装置４０から送信されたフレーム識別子「ＩＤ＃２」をもつデータフレームは、局側装置１０でＶＰＩ値「ＶＰＩ＃２」をもつＡＴＭセル群に変換され、ＰＯＮに送出される。これらのＡＴＭセル群は、ＶＰＩ検索テーブル２３−１、２３−２にＶＰＩ値「ＶＰＩ＃２」をもつ２つの加入者接続装置２０−１、２０−２によって受信処理され、元のデータフレームに変換した後、それぞれの加入者端末３０−１、３０−２に転送される。
【００３３】
従って、この例では、フレーム識別子「ＩＤ＃２」をもつ下りデータフレームに関して、局側装置１０と２つの加入者接続装置２０−１と２０−２との間にＶＰコネクションが設定されたことになり、局側装置１０でＡＴＭセルの複製を生成することなく、局側装置１０から同一論理グループに属した複数の加入者接続装置２０−１と２０−２にマルチキャスト通信できることが判る。
【００３４】
【発明の効果】
以上の実施例から明らかなように、本発明によれば、ＩＴＵ−Ｔ勧告Ｇ．９８３．１によるＡＴＭ−ＰＯＮに準拠し、且つ、ＡＴＭセルの複製によるＰＯＮ上での帯域の圧迫を起こすことなく、ブロードキャスト／マルチキャスト通信を実現できる。また、本発明によれば、局側装置が、上位装置からの受信フレーム種別（ブロードキャスト、マルチキャスト、ユニキャスト）に関係なく、ＰＯＮフレームを生成することができ、加入者接続装置への受信ＶＰＩ情報の事前登録によって、同一フレームを仮想グループに属する任意個数の加入者端末に送信することが可能となる。
【図面の簡単な説明】
【図１】ＡＴＭ−ＰＯＮを利用した本発明によるデータ転送システムの全体的なシステム構成の１例を示す図。
【図２】本発明において局側装置１０の主要部となる下り方向の信号処理系の機能ブロック図。
【図３】局側装置１０が備えるＶＰＩ振り分けテーブル１２の構成の１例を示す図。
【図４】加入者接続装置２０−１の下り方向の信号処理系の機能ブロック図。
【図５】加入者接続装置２０−１が備えるＶＰＩ検索テーブル２３−１の内容（Ａ）と加入者接続装置２０−２が備えるＶＰＩ検索テーブル２３−２の内容（Ｂ）の１例を示す図。
【図６】局側装置１０と加入者接続装置２０−１〜２０−ｎの間で設定されるＶＰのコネクションの１例を説明するための図。
【符号の説明】
１０：局側装置、２０：加入者接続装置、３０：加入者端末、４０：上位装置、５０：オペレーション装置、１００、１０１〜１０ｎ：光ファイバ、
１１０：光スプリッタ、１１：ネットワークインタフェース部、
１２：ＶＰＩ振り分けテーブル、１３：ＶＰＩ検索部、
１４：ＡＴＭセル生成部、１５：ＰＯＮ終端部、１６：Ｅ／Ｏ変換部、
１８：制御部、２１：Ｏ／Ｅ変換部、２２：ＰＯＮ終端部、
３３：ＶＰＩ検索テーブル、２４：ＶＰＩフィルタ部、
２５：フレーム組立て部、２６：端末インタフェース部、２８：制御部。
【図１】
2004153506.tif 000003
【図２】
2004153506.tif 000004
【図３】
2004153506.tif 000005
【図４】
2004153506.tif 000006
【図５】
2004153506.tif 000007
【図６】
2004153506.tif 000008